(57)【要約】【課題】必要に応じてその場で調整を行って、各個人に適合した装具とすることができる簡易装具を得る。【解決手段】簡易装具１０は、シリコーン材料で形成された全面層１８を含む。全面層１８上には、足の前部用の第１の積層体１２、足の中央部用の第２の積層体１４、足の後部用の第３の積層体１６が配置される。これらの積層体１２，１４，１６は、複数の層で構成され、それぞれの層の一方面側に粘性が与えられる。したがって、複数の層を重ねることにより、任意の高さに調整することができる。これらの積層体１２，１４，１６の高さおよび位置を調整することにより、容易に各個人に合わせた簡易装具を得ることができる。【選択図】図１
2006247197.tif 000002
【特許請求の範囲】
【請求項１】
足裏に装着する簡易装具であって、
弾性を有するシリコーン樹脂を用いて形成され、少なくとも一方面に粘性を有する複数の層を積層した積層体により構成され、
前記シリコーン樹脂は、２５℃で約６００ｍＰａ・ｓの動粘性率を示すα，ω−ジビニルポリジメチルシロキサンオイルと、２５℃で約８ｍＰａ・ｓの動粘性率を示すα，ω−ジハイドロポリジメチルハイドロシロキサンオイルと、２５℃で約３００ｍＰａ・ｓの動粘性率を示し、シリコーンと鎖状高分子をつくる水素原子を含むα，ω−ジハイドロポリメチルハイドロシロキサンオイルと、二酸化ケイ素とを含むシリコーンＡ、および
２５℃で約２７００ｍＰａ・ｓの動粘性率を示すα，ω−ジビニルポリジメチルシロキサンオイルと、２５℃で約１００ｍＰａ・ｓの動粘性率を示すα，ω−ポリジメチルシロキサンオイルと、ヒドロシリル化反応の白金触媒とを含むシリコーンＢを混合して硬化させたものである、簡易装具。
【請求項２】
前記シリコーンＡにおいて、α，ω−ジビニルポリジメチルシロキサンオイルが６５重量％、α，ω−ジハイドロポリジメチルハイドロシロキサンオイルが５重量％、α，ω−ジハイドロポリメチルハイドロシロキサンオイルが２重量％、二酸化ケイ素が２８重量％の割合で配合され、前記シリコーンＢにおいて、α，ω−ジビニルポリジメチルシロキサンオイルが６５重量％、α，ω−ポリジメチルシロキサンオイルが３５重量％の割合で配合され、前記シリコーンＡ１８〜２２重量％と前記シリコーンＢ７８〜８２重量％とを混合して得られる前記シリコーン樹脂が用いられる、請求項１に記載の簡易装具。
【請求項３】
前記積層体は、足裏の前部、中央部および後部の少なくとも１箇所に装着される、請求項１または請求項２に記載の簡易装具。
【請求項４】
前記積層体の足裏に接触する面が粘性を有するように形成された、請求項３に記載の簡易装具。
【請求項５】
さらに、弾性材料で形成された足裏全体を覆う全面層を含み、前記全面層上に足裏の前部、中央部および後部の少なくとも１箇所に装着される前記積層体が載置される、請求項３に記載の簡易装具。
【請求項６】
前記積層体は、足の親指と中指の付け根に近い部分における足指と土踏まずの間の窪み部分、土踏まず部分、踵部分、踵から足の外側部分に沿う部分、踵から足の内側部分に沿う部分の少なくとも１か所に装着される、請求項５に記載の簡易装具。
【発明の詳細な説明】
【技術分野】
【０００１】
この発明は、簡易装具に関し、特にたとえば、足裏のクッションの補助、Ｘ脚、Ｏ脚、外反母趾などの矯正用として用いられる簡易装具に関する。
【背景技術】
【０００２】
ヒトの足裏には、脂肪組織が結合してできた皮膚細胞組織があり、歩行によって生じる強い衝撃を吸収するクッションの役割を果たしている。つまり、足裏の皮膚細胞は、地面と足の骨の接触面積を拡げ、歩行によるショックを吸収、伝達し、中足骨の骨頭に均一に力を分散している。しかしながら、加齢とともに結合組織の弾性繊維は切れて、その内部にある脂肪は失われ、足裏のクッションは本来の働きを失って痛みを感じるようになる。
【０００３】
このような場合、医師の処方により、弾性材料で形成された装具が作製され、足裏に装具が装着される。このような装具により、歩行によるショックが吸収され、痛みを和らげることができる。ところが、装具の形状は各個人の足の形状や症状などによって異なり、装具の作製に時間がかかるとともに、作製後においても調整が必要な場合がある。そこで、切削加工しやすいシリコーン組成物を用いて標準形状の足底板を作製し、それを各個人に合わせて切削加工したり、加熱硬化させることにより足底板に一体化させる盛付けにより装具の調整を行う技術が開示されている（特許文献１参照）。
【０００４】
また、簡易な装具として、弾性材料で形成された靴の中敷などが市販されている。このような中敷は、足裏のクッションの補助や、Ｘ脚、Ｏ脚、外反母趾の矯正用として使用することができる。
【０００５】
【特許文献１】特開２００２−１１９３０８号公報
【発明の開示】
【発明が解決しようとする課題】
【０００６】
しかしながら、医師の処方によって装具を作製する場合においても、カッターややすりによる切削を行ったり、加熱による硬化を行う必要があり、装具の完成までに手間がかかる。また、市販されている靴の中敷などにおいては、各個人に合わせた調整などは困難である。
【０００７】
それゆえに、この発明の主たる目的は、必要に応じてその場で調整を行って、各個人に適合した装具とすることができる簡易装具を提供することである。
【課題を解決するための手段】
【０００８】
この発明は、足裏に装着する簡易装具であって、弾性を有するシリコーン樹脂を用いて形成され、少なくとも一方面に粘性を有する複数の層を積層した積層体により構成され、シリコーン樹脂は、２５℃で約６００ｍＰａ・ｓの動粘性率を示すα，ω−ジビニルポリジメチルシロキサンオイルと、２５℃で約８ｍＰａ・ｓの動粘性率を示すα，ω−ジハイドロポリジメチルハイドロシロキサンオイルと、２５℃で約３００ｍＰａ・ｓの動粘性率を示し、シリコーンと鎖状高分子をつくる水素原子を含むα，ω−ジハイドロポリメチルハイドロシロキサンオイルと、二酸化ケイ素とを含むシリコーンＡ、および２５℃で約２７００ｍＰａ・ｓの動粘性率を示すα，ω−ジビニルポリジメチルシロキサンオイルと、２５℃で約１００ｍＰａ・ｓの動粘性率を示すα，ω−ポリジメチルシロキサンオイルと、ヒドロシリル化反応の白金触媒とを含むシリコーンＢを混合して硬化させたものである、簡易装具である。
このような簡易装具において、シリコーンＡにおいて、α，ω−ジビニルポリジメチルシロキサンオイルが６５重量％、α，ω−ジハイドロポリジメチルハイドロシロキサンオイルが５重量％、α，ω−ジハイドロポリメチルハイドロシロキサンオイルが２重量％、二酸化ケイ素が２８重量％の割合で配合され、シリコーンＢにおいて、α，ω−ジビニルポリジメチルシロキサンオイルが６５重量％、α，ω−ポリジメチルシロキサンオイルが３５重量％の割合で配合され、シリコーンＡ１８〜２２重量％とシリコーンＢ７８〜８２重量％とを混合して得られるシリコーン樹脂を用いることができる。
また、積層体は、足裏の前部、中央部および後部の少なくとも１箇所に装着される。
さらに、積層体の足裏に接触する面が粘性を有するように形成することができる。
また、弾性材料で形成された足裏全体を覆う全面層を含んでいてもよく、この場合、全面層上に足裏の前部、中央部および後部の少なくとも１箇所に装着される積層体が載置される。
全面層に積層体を装着した簡易装具において、積層体は、足の親指と中指の付け根に近い部分における足指と土踏まずの間の窪み部分、土踏まず部分、踵部分、踵から足の外側部分に沿う部分、踵から足の内側部分に沿う部分の少なくとも１か所に装着される。
【０００９】
複数の層を積層した積層体により簡易装具を構成することにより、積層体の枚数を変えることによって、積層体部分の高さを調整することができる。また、積層体を構成する各層に粘性を有する面を形成することにより、他の層に押付けるだけで積層枚数を増やすことができ、高さの調整が容易である。さらに、積層体の範囲を調整するために、各層を切断することができる。このとき、層単位で切断できるため、鋏などを用いて容易に切断を行うことができる。
ここで、上述のような材料で形成されたシリコーン樹脂を用いることにより、足裏の脂肪組織に近い柔軟性や弾性を得ることができる。
特に、それぞれの材料を上述のような配合比とすることにより、足裏の脂肪組織に近い特性を得ることができる。
また、足裏の前部、中央部および後部に配置することができ、必要に応じて各部の高さや位置を変更することにより、各個人に適応した装具を作製することができる。
さらに、積層体の足裏に接触する面に粘性をもたせることにより、足裏に直接積層体を貼り付けることができる。
また、足裏全面を覆う全面層の上に積層体を装着することにより、足裏に対する積層体の位置を確定することができ、全面層が歩行による衝撃を吸収することができる。
ここで、足裏の各位置に対応して積層体を配置することにより、外反母趾の予防改善、体重の分散、Ｘ脚やＯ脚の矯正など、種々の効果を得ることができる。
【発明の効果】
【００１０】
この発明によれば、その場で調整を行って、容易に各個人に適合した簡易装具を作製することができる。
【００１１】
この発明の上述の目的，その他の目的，特徴および利点は、図面を参照して行う以下の発明を実施するための最良の形態の説明から一層明らかとなろう。
【発明を実施するための最良の形態】
【００１２】
図１は、この発明の簡易装具の一例を示す図解図である。簡易装具１０は、足裏の前部に装着される第１の積層体１２、足裏の中央部に装着される第２の積層体１４および足裏の後部に装着される第３の積層体１６を含む。第１の積層体１２は、たとえば平面形状が略三角形の角部を曲線状にした形状に形成される。第１の積層体１２は、図２に示すように、足の土踏まずより前方に装着される。さらに、第１の積層体１２は、たとえば３つの層１２ａ，１２ｂ，１２ｃで構成される。第１の層１２ａは、最も大きい面積となるように形成され、第２の層１２ｂおよび第３の層１２ｃに向かって徐々に面積が小さくなるように形成される。そして、第３の層１２ｃは、その頂点が曲面状となるように形成される。したがって、３つの層１２ａ，１２ｂ，１２ｃを積層することにより、全体として山形状の積層体となる。なお、３つの層１２ａ，１２ｂ，１２ｃの使用方法としては、図３に示すように、それぞれの層１２ａ，１２ｂ，１２ｃが単独で使用されてもよいし、いくつかの層を組み合わせて使用してもよい。そして、いくつかの層を積層する際には、積層する層の組み合わせは、任意に変更可能である。
【００１３】
第１の積層体１２は、たとえば柔軟性と弾性とを有するシリコーン樹脂によって形成される。ここで、足裏にかかる圧力は０．４×１０4Ｎ／ｍ2であり、せん断応力は０．４〜１．５×１０4Ｎ／ｍ2である。そのため、使用されるシリコーン樹脂としては、圧縮率０．４×１０4Ｎ／ｍ2、捩り強さ０．４〜１．５×１０4Ｎ／ｍ2のものが使用される。このようなシリコーン樹脂を得るために、たとえば２５℃で約６００ｍＰａ・ｓの動粘性率を示すα，ω−ジビニルポリジメチルシロキサンオイルが約６５重量％、２５℃で約８ｍＰａ・ｓの動粘性率を示すα，ω−ジハイドロポリジメチルハイドロシロキサンオイルが約５重量％、２５℃で約３００ｍＰａ・ｓの動粘性率を示し、シリコーンと鎖状高分子をつくる水素原子０．１７％を含むα，ω−ジハイドロポリメチルハイドロシロキサンオイルが約２重量％、二酸化ケイ素が約２８重量％からなるシリコーンＡと、２５℃で約２７００ｍＰａ・ｓの動粘性率を示すα，ω−ジビニルポリジメチルシロキサンオイルが６５重量％、２５℃で約１００ｍＰａの動粘性率を示すα，ω−ポリジメチルシロキサンオイルが約３５重量％からなるシリコーンＢとが用いられる。なお、シリコーンＢには、染色剤および強化剤として、粉砕石英、珪藻土、炭化カルシウム、石灰化粘土、酸化チタン、酸化鉄、酸化亜鉛、酸化クロム、酸化ジルコニウム、酸化マグネシウム、酸化アルミニウム、ホウ化ニトリル、リトポン、メタホウ酸バリウムなどを加えてもよい。これらのシリコーンＡを１８〜２２重量％とシリコーンＢを７８〜８２重量％混合し、ヒドロシリル化反応の白金触媒としてクロロ白金（ＩＶ）酸、ケトン、ビニルシロキサンなどの有機白金水溶液を約０．００１％加えて、２０〜３０℃で重合反応を起こさせることにより、シリコーン樹脂が得られる。このようにして得られる重合体が示す圧力は１．５×１０4Ｎ／ｍ2であり、引張り強度は０．７×１０4Ｎ／ｍ2である。
【００１４】
さらに、シリコーン樹脂を用いて３つの層１２ａ，１２ｂ，１２ｃを成形する際に、その一方面側に粘性が付与される。このように、３つの層１２ａ，１２ｂ，１２ｃの一方面側に粘性を付与することにより、３つの層１２ａ，１２ｂ，１２ｃを積層して固着することが容易である。また、粘性を付与するために、粘着剤などを使用せず、シリコーン樹脂の成型時に粘性を付与することにより、表面が汚れて粘性が劣化しても、表面を洗浄することにより、粘性を回復させることができる。
【００１５】
さらに、得られたシリコーン樹脂に長繊維などを混入してもよい。ここで用いられる長繊維としては、たとえば直径１．７〜２２ｄｅｃｉｔｅｘのポリアミド製、直径１．５〜１４ｄｅｃｉｔｅｘのポリエステル製の直線状の繊維などが用いられる。また、この長繊維の長さは１〜６ｍｍであり、引っ張り強さは２０〜４０ｃｍＮ／ｔｅｘであり、延性は１５〜２０％である。このように、シリコーン樹脂に繊維を混入することにより、歩行によって足裏に与えられるショックの吸収効果を高めることができる。
【００１６】
また、第２の積層体１４は、たとえば平面形状が略半月状に形成される。第２の積層体１４は、図４に示すように、足の土踏まずの近傍に装着される。第２の積層体１４も、第１の積層体１２と同様に、３つの層１４ａ，１４ｂ，１４ｃの積層体として構成され、３つの層１４ａ，１４ｂ，１４ｃを積層したときに、全体として山形状となるように形成される。そして、それぞれの層１４ａ，１４ｂ，１４ｃの一方面側には粘性が付与され、３つの層１４ａ，１４ｂ，１４ｃを積層して固着することが容易となっている。第２の積層体１４についても、図５に示すように、それぞれの層１４ａ，１４ｂ，１４ｃが単独で使用されてもよいし、いくつかの層を組み合わせて使用してもよい。いくつかの層を積層する際には、積層する層の組み合わせは、任意に変更可能である。
【００１７】
さらに、第３の積層体１６は、たとえば１つの辺が外側に向かって湾曲するような曲線状で、他の３辺が直角部を挟む直線状であるような平面形状となるように形成される。第３の積層体１６は、曲線状部の厚みが大きく、曲線状部の反対側の厚みが小さくなるように形成される。第３の積層体１６は、図６に示すように、足の踵部分に装着される。そして、図７に示すように、第３の積層体１６の層１６ａ，１６ｂ，１６ｃを積層することにより、曲線状部側の高さを調整することができる。さらに、それぞれの層１６ａ，１６ｂ，１６ｃの一方面側には粘性が付与され、３つの層１６ａ，１６ｂ，１６ｃを積層して固着することが容易となっている。
【００１８】
これらの積層体１２，１４，１６は、上述のように、足裏の前部、中央部および後部に装着される。この場合、たとえば足裏の全体を覆う全面層１８を用いることができる。この全面層１８も、第１の積層体１２、第２の積層体１４、第３の積層体１６と同じ材料で形成される。この全面層１８上に、第１の積層体１２、第２の積層体１４および第３の積層体１６が配置される。この場合、各積層体１２，１４，１６を構成する層の全面層１８側に粘性が付与される。そして、全面層１８上に配置された第１の積層体１２、第２の積層体１４および第３の積層体１６の上に、足裏が載せられる。
【００１９】
ここで、３つの積層体１２，１４，１６については、各個人の症状に合わせて、医師の処方などにより、その高さと位置が調整される。積層体１２，１４，１６の位置については、たとえば図４の点線で示すように、全面層１８上への貼着場所を変えることにより調整することができる。また、積層体１２，１４，１６の高さについては、各積層体１２，１４，１６の積層枚数を変えることにより調整することができる。さらに、図３や図５に示すように、各積層体１２，１４などの積層枚数を変える場合、それぞれの中間部の層１２ｂ，１４ｂを外すなど、その積層順序は任意に変更可能である。このように、積層する層の組み合わせを調整することにより、積層体の高さや足裏への装着範囲を調整することができる。また、積層体１２，１４，１６の各層を鋏などで切断して、その形状を調整することによっても、積層体１２，１４，１６の足裏への装着範囲を調整することができる。このように、この簡易装具１０では、医師が診断して、その場で積層体１２，１４，１６の位置、高さおよび装着範囲を調整することができ、医師の処方により装具士が調整するという手間がかからない。
【００２０】
この簡易装具１０では、全体層１８および各積層体１２，１４，１６によって歩行によるショックが吸収されるとともに、各積層体１２，１４，１６によって、足裏の必要な箇所の高さを調整することができる。このように、全面層１８上に各積層体１２，１４，１６を配置した簡易装具は、履物の中底に敷いて用いられる。しかしながら、必ずしも全面層１８を用いる必要はなく、全面層１８を用いずに、足裏に各積層体１２，１４，１６を直接貼り付けてもよい。この場合、各積層体１２，１４，１６を構成する層の足裏側の面に粘性が付与される。
【００２１】
なお、各積層体１２，１４，１６の積層数は、３層に限らず、もっと多い積層数としてもよい。それぞれの層の厚みを薄くして、積層数を多くすれば、積層体１２，１４，１６の高さの調整を細かく行うことができる。また、各積層体１２，１４，１６の形状についても、任意に変更可能であり、症状に応じて形状を変更してもよい。
【００２２】
このような簡易装具１０は、医療用に限らず、サンダルなどの履物にも応用することができる。この場合、予め履物の底に簡易装具１０が装着される。このとき、図８に示すように、全面層１８は、履物の中底に固着され、その上に複数の積層体が配置される。このように、履物に簡易装具１０を装着する場合、たとえばＸ脚、Ｏ脚、外反母趾の矯正などを目的として用いられる。
【００２３】
この簡易装具１０において、外反母趾用として、図９に示すような積層体２０，２２が用いられる。一方の積層体２０は、たとえば略三角形の角部を曲線状にした形状を有し、他方の積層体２２は、円形の２箇所が突出した形状に形成される。これらの積層体２０，２２は、足の親指と中指の付け根に近い部分において、足指と土踏まずの間の窪み部分に配置される。これらの積層体２０，２２によって、足の横方向のアーチを持ち上げることにより、親指が開くように作用する。
【００２４】
また、趾骨と中足骨との間に、図１０に示すような略三角形状の積層体２４が配置される。この積層体２４は、ハイヒールなどを履いたときに、足の角度が大きくなることによる滑りを防止するために用いられる。
【００２５】
さらに、足の土踏まず部分には、図１１に示すような略半月状の積層体２６が配置される。この積層体２６は、足の横方向のアーチおよび縦方向のアーチをサポートするとともに、体重を分散させるために用いられる。
【００２６】
また、Ｏ脚用として、図１２に示すように、足の踵部分から足の外側部分に沿うような形状の積層体２８が用いられる。このような積層体２８は、足の外側部分を持ち上げて、Ｏ脚を矯正するように作用する。さらに、Ｘ脚用として、図１３に示すように、足の踵部分から足の内側部分に沿うような形状の積層体３０が用いられる。このような積層体３０は、足の内側部分を持ち上げて、Ｘ脚を矯正するように作用する。これらの積層体２８，３０において、踵部分には、窪み２８ａ，３０ａが形成され、踵が安定するようにしている。
【００２７】
また、足の踵部分には、図１４に示すような、円形の積層体３２を配置することができる。この積層体３２は、踵の一点に集中する体重を分散する役割を果たす。なお、積層体３２の中央部には、穴または窪み３２ａが形成され、踵がずれることなく、安定して歩くことができるようにしている。
【００２８】
これらの積層体２０〜３２は、必要に応じて組み合わされる。したがって、Ｏ脚用の積層体２８とＸ脚用の積層体３０が同時に使用されることはないし、外反母趾などの症状がなければ、積層体２０，２２を用いる必要はない。また、円形の積層体３２は、通常、Ｏ脚用の積層体２８やＸ脚用の積層体３０と一緒に使用されないが、必要に応じて、これらの積層体を併用してもよい。さらに、これらの積層体２０〜３２を鋏などによって切断し、適当な大きさにして各個人に合わせることも可能である。
【００２９】
なお、上述の積層体２０〜３２は、それぞれ個別に作製されているが、これらを組み合わせて用いる場合においては、予め組み合わせを考慮して形成することができる。たとえば、外反母趾用の積層体２０と体重分散用の積層体２６とを組み合わせる場合、図１５および図１６に示すような形状にすることができる。外反母趾用の積層体２０は、図１５に示すように、略楕円形に形成される。また、体重分散用の積層体２６は、図１６に示すように、一端側が円弧状に形成され、他端側に向かって足裏の形状に沿うような形状に形成される。そして、積層体２０の一部と積層体２６の円弧状部分とが組み合わされることによって、図１７に示すような積層体３４が形成される。このとき、一方の積層体２０において、他方の積層体２６と組み合わされる部分を薄くしておくことによって、図１７に横からみた高さを示すように、組み合わされた積層体３４の高さが急激に突出したりせず、連続的に変化した積層体とすることができる。
【００３０】
この積層体３４は、図１７に示すように、全面層１８に積層されて用いられる。ここで、一方の積層体２０は、足の親指と中指の付け根に近い部分において、足指と土踏まずの間の窪み部分に配置され、足の横方向のアーチを持ち上げて親指が開くように作用し、外反母趾の予防と改善を図ることができる。また、他方の積層体２６は、足の土踏まず部分に配置され、足の横方向のアーチおよび縦方向のアーチをサポートするとともに、体重を分散する役目を果たす。このように、予めいくつかの積層体を組み合わせることができるように、各積層体の形状を調整することができる。
【００３１】
また、外反母趾用および体重分散用の両方の役割を果たす積層体３４を一体的に形成してもよい。このように、各機能を有する積層体を組み合わせるだけでなく、複数の機能を有する積層体を一体的に形成することもできる。
【００３２】
このように、この発明の簡易装具１０では、医療用として用いる場合には、医師がその場で積層体の位置や高さを調整することができ、患者に適合した装具を容易に作製することができる。また、この簡易装具１０を市販品とする場合には、各積層体を適当に配置することにより、これを使用する個人が快適な歩行を得ることができる。
【図面の簡単な説明】
【００３３】
【図１】この発明の簡易装具の一例を示す図解図である。
【図２】図１に示す簡易装具に用いられる第１の積層体の足への装着位置を示す図解図である。
【図３】第１の積層体の積層状態のバリエーションを示す図解図である。
【図４】図１に示す簡易装具に用いられる第２の積層体の足への装着位置を示す図解図である。
【図５】第２の積層体の積層状態のバリエーションを示す図解図である。
【図６】図１に示す簡易装具に用いられる第３の積層体の足への装着位置を示す図解図である。
【図７】第３の積層体の積層状態のバリエーションを示す図解図である。
【図８】サンダルなどの履物の中敷として用いられる簡易装具の一例を示す図解図である。
【図９】図８に示す簡易装具に用いられる外反母趾用の積層体を示す図解図である。
【図１０】図８に示す簡易装具に用いられる滑り防止用の積層体を示す図解図である。
【図１１】図８に示す簡易装具に用いられる体重分散用の積層体を示す図解図である。
【図１２】図８に示す簡易装具に用いられるＯ脚用の積層体を示す図解図である。
【図１３】図８に示す簡易装具に用いられるＸ脚用の積層体を示す図解図である。
【図１４】図８に示す簡易装具に用いられる踵部分における体重分散用の積層体を示す図解図である。
【図１５】複数の機能を有する積層体を構成する外反母趾用の積層体を示す図解図である。
【図１６】複数の機能を有する積層体を構成する体重分散用の積層体を示す図解図である。
【図１７】図１５および図１６に示す積層体を組み合わせた複数の機能を有する積層体を示す三面図である。
【図１８】図１７に示す積層体を全面層に積層する状態を示す図解図である。
【符号の説明】
【００３４】
１０  簡易装具
１２  第１の積層体
１４  第２の積層体
１６  第３の積層体
１８  全面層
２０  外反母趾用の積層体
２２  外反母趾用の積層体
２４  滑り止め用の積層体
２６  体重分散用の積層体
２８  Ｏ脚用の積層体
３０  Ｘ脚用の積層体
３２  踵部分における体重分散用の積層体
３４  複数の機能を有する積層体
【図１】
2006247197.tif 000003
【図２】
2006247197.tif 000004
【図３】
2006247197.tif 000005
【図４】
2006247197.tif 000006
【図５】
2006247197.tif 000007
【図６】
2006247197.tif 000008
【図７】
2006247197.tif 000009
【図８】
2006247197.tif 000010
【図９】
2006247197.tif 000011
【図１０】
2006247197.tif 000012
【図１１】
2006247197.tif 000013
【図１２】
2006247197.tif 000014
【図１３】
2006247197.tif 000015
【図１４】
2006247197.tif 000016
【図１５】
2006247197.tif 000017
【図１６】
2006247197.tif 000018
【図１７】
2006247197.tif 000019
【図１８】
2006247197.tif 000020